(57)【要約】皮膚に接着可能な、且つ、皮膚から取り外し可能な、少なくとも２つの接着部分（２）と、接着部分の間で保持される少なくとも２つの非伸縮性の糸（３）と、を具備している創傷包帯（１）であって、非伸縮性の糸の間の間隔が、接着部分の間の創傷又は皮膚への直接アクセスを可能としていることを特徴とする創傷包帯。
2008500127.tif 000002
【特許請求の範囲】
【請求項１】
皮膚に接着可能な、且つ、皮膚から取り外し可能な、少なくとも２つの接着部分と、
接着部分の間で保持される少なくとも２つの非伸縮性の糸と、を具備している創傷包帯であって、
非伸縮性の糸の間の間隔が、接着部分の間の創傷又は皮膚への直接アクセスを可能としていることを特徴とする創傷包帯。
【請求項２】
包帯が皮膚に適用されたときに、糸によって接着部分の間に張力を維持できるように、非伸縮性の糸が、接着部分に対して、配置されている、請求項１記載の創傷包帯。
【請求項３】
接着部分が、伸縮性であり、創傷の方向に対して実質的に平行な方向に伸ばすことができる、請求項１又は２記載の創傷包帯。
【請求項４】
非伸縮性の糸の間隔が１〜１０ｍｍの範囲内である、請求項１〜３のいずれか１つに記載の創傷包帯。
【請求項５】
非伸縮性の糸が、互いにほぼ５ｍｍ程度の間隔で離れている、請求項４記載の創傷包帯。
【請求項６】
治療組成物の塗布を可能とする、請求項１〜５のいずれか１つに記載の創傷包帯。
【請求項７】
治療組成物が除去可能である、請求項６記載の創傷包帯。
【請求項８】
治療組成物が蜂蜜組成物である、請求項６又は７に記載の創傷包帯。
【請求項９】
治療組成物を、製造中に創傷包帯に組み込むことができる、請求項６〜８のいずれか１つに記載の創傷包帯。
【請求項１０】
治療組成物が溶解可能である、請求項６〜９のいずれか１つに記載の創傷包帯。
【請求項１１】
創傷包帯及び治療組成物を実質的に覆って保護する、バッキング部分を、具備している、請求項１〜１０のいずれか１つに記載の創傷包帯。
【請求項１２】
外装を具備している、請求項１〜１１のいずれか１つに記載の創傷包帯。
【請求項１３】
請求項１〜１２のいずれか１つに記載の創傷包帯と共に用いられるよう構成された、治療組成物。
【請求項１４】
請求項１〜１２のいずれか１つに記載の創傷包帯を用いた創傷の治療方法であって、
ａ）皮膚に創傷包帯の接着部分を適用するステップと、
ｂ）創傷の両縁をくっつけるステップと、
ｃ）創傷包帯の第２接着部分を皮膚に接着して、創傷をまとめるステップと、
ｄ）創傷を横切って張力を保持するステップと、
を備えていることを特徴とする、創傷包帯を用いた創傷の治療方法。
【請求項１５】
治療組成物が創傷の一面に設けられていることを保証することを特徴とする、請求項１〜１４のいずれか１つに記載の創傷包帯を用いた創傷の治療方法。
【請求項１６】
実質的には、添付図面を参照して述べられ且つ添付図面によって図示された、創傷包帯。
【請求項１７】
実質的には、添付図面を参照して述べられ且つ添付図面によって図示された、治療組成物。
【請求項１８】
実質的には、添付図面を参照して述べられ且つ添付図面によって図示された、創傷包帯を用いた創傷の治療方法。
【発明の詳細な説明】
【技術分野】
【０００１】
本発明は、創傷包帯に関するものである。具体的に言うと、本発明は、縫合することなく創傷を塞ぐための包帯に関するものである。
【背景技術】
【０００２】
上記特定の大きさの創傷は、偶発事故によって生じたのであろうと外科技術によって生じたのであろうと、その後の傷を治す間、出血を少なくし治癒を促進するように塞がなければならない。
【０００３】
創傷閉鎖方法の慣用法は、通常は、創傷の両側が、皮膚の中に挿入された糸、又は、他の異物によって共に保持されると、縫合又は止め金などの使用を必要とする。
【発明の開示】
【発明が解決しようとする課題】
【０００４】
しかしながら、創傷を閉じた状態で良いとはいえ、縫合は、皮膚がある方向に伸ばされた時に、周囲の組織を上に引っ張るため、一般に心地良いものではない。
【０００５】
皮膚の中に異物を挿入する際には、通常、患者の辛苦を軽減するために局所又は全身麻酔薬のどちらかを使用し、それ故、縫合が適切に行われるのを可能としている。
【０００６】
救急施設が少し離れた場所においては、縫合のための麻酔手段を、容易に実施することができない。
【０００７】
さらに、縫合は、通常は、訓練された人材によってのみ行われることができ、今後の傷の軽減を図っている間に、迅速に縫合するためには相当の訓練が必要である。
【０００８】
傷が癒える間に、通常は、創傷の周囲の皮膚が縫合糸の回りで成長し始める。そのため、糸を抜糸するときには、しばしば痛みを伴い、瘢痕組織を引っ張る。
【０００９】
組織が皮膚内の異物と反応し、結果として、しばしば、さらに大きな傷を残すこともある。
【００１０】
多くの縫合方法が存在するが、通常は、皮膚を束ねることや瘢痕形成無しで、創傷の両側を並べるのは非常に困難である。これは、特に平行でなかったり、ギザギザの創傷であるのを塞ぐために縫合が使用されるときに困難である。
【００１１】
それらが組織によって囲まれる前に、又は、激しい異物反応が発現する前に、縫合又は止め金を取り除かなければならないため、しばしば、創傷が完全に治る前に縫合を取り除くことになる。
【００１２】
通常は、縫合が２週間以内に取り除かれるのに対して、創傷は怪我の後６ヶ月までは十分な強さに達することができない。そのため、瘢痕は、再び開いたり伸ばされたりして、結果的にさらに目立つようになり得る。
【００１３】
絆創膏や、バタフライクロージャーなどのような、多くの創傷包帯が、縫合を必要としない小さな創傷のために存在する。しかしながら、これらは、小さい切り傷のためにのみ設けられており、大きな創傷に使用するのには適していない。
【００１４】
この明細書において言及された特許及び特許出願を含む全ての参考文献は、これによって参照して組み込まれている。全ての参考文献が従来技術を構成しているわけではない。参照文献の議論は、著者が主張したことを記載しており、出願者が言及した内容の正確性及び妥当性に意義を申し立てる権利を留保している。多くの従来技術文献がここに参照されているが、この参照文献は、これらの全ての内容が、ニュージーランド又は他の国における、従来技術を形成するということを意味するものではない。「構成する」という用語は、種々の権限の下で全体的な又は包括的な手段のどちらかに帰するということを意味する。この明細書において、特に断りのない限り、「構成する」という用語は、包括的な手段、すなわち、参照文献に直接記載された構成要件だけでなく、他の明記されていない構成要件又は要素の包括を意味する。「構成された」又は「構成している」という用語が、方法又は工程における１以上のステップに関して用いられた場合、この理由付けが用いられる。
【００１５】
本発明の目的は、上述の問題の解決、又は、少なくとも、有益な選択を公衆に提供することである。
【００１６】
さらに、本発明の特徴及び利点は、単なる例として与えられた次の詳細から明らかになる。
【課題を解決するための手段】
【００１７】
本発明の一態様は、次のような創傷包帯を提供している。それは、
皮膚に接着可能な、且つ、皮膚から取り外し可能な、少なくとも２つの接着部分と、
接着部分の間で保持される少なくとも２つの非伸縮性の糸と、を具備しており、
非伸縮性の糸の間の間隔が、接着部分の間の創傷又は皮膚への直接アクセスを可能とするのに十分であることを特徴としている。
【００１８】
本発明の別の態様は、創傷包帯を用いた創傷の治療方法であって、
ａ）皮膚に創傷包帯の接着部分を適用するステップと、
ｂ）創傷の両縁をくっつけるステップと、
ｃ）皮膚に創傷包帯の第２接着部分を接着して、創傷をまとめる、ステップと、
ｄ）創傷と交差して張力を維持するステップと、を備えていることを特徴とする創傷の治療方法を提供することである。
【００１９】
好ましくは、包帯が皮膚に適用されるときの糸によって、接着部分の間で張力が維持できるように、接着部分に対して糸が配置される。
【００２０】
接着部分は、好ましくは、創傷包帯の分野で一般に使用されている接着性のストリップであり、好ましい実施形態においては創傷の両側に設けられている。
【００２１】
本発明の好ましい実施形態では、皮膚に接着可能な、且つ、皮膚から取り外し可能な、少なくとも２つの接着部分を有している。
【００２２】
しかしながら、これは、本発明における限定を意味するものではなく、本発明には、例えば、創傷又は皮膚の範囲に包帯を接着するのに接着用テープの輪を利用してもよいし、複数の接着部分を創傷の両側に設けてもよい。
【００２３】
好ましくは、接着部分は、接着部分を実質的に創傷に平行な方向に伸ばすことができるように、伸縮性の糸を含んでいる。これは、創傷と交差して張力を維持している間、皮膚が快適に動くようにできる。
【００２４】
実施例の１つにおいて、接着部分は、Ｇｅｒｍａｎｙ、Ｈａｍｂｕｒｇ、ＢＳＮ Ｍｅｄｉｃａｌ ＧｍｂＨ＆Ｃｏ．ｏｆＫＧによって製造されており、登録商標「 Ｈｙｐａｆｌｘ」 として販売されているエラストマー材料から作ることができる。
【００２５】
これは、皮膚におく前に、液体接着剤、例えば、‘‘スーパーグルー’’のようなシアノメタクリル樹脂接着剤だけが利用できるというように、本発明を制限するものではない。
【００２６】
別の実施形態において、ストリップの接着部分を保護するように、除去可能な保護カバーが接着部分に設けられている。
【００２７】
本発明の好ましい実施形態において、非伸縮性の糸は、ナイロンやポリプロピレンなどのような、標準的な単繊維縫合糸である。
【００２８】
しかしながら、これは、本発明において、あらゆるタイプの非伸縮性の糸が、本発明に使用できるということを意味するものではない。例えば、絹は使用され得るが、組織反応が激しすぎるために、標準的な縫合には推奨できない。
【００２９】
本発明の好ましい実施形態において、包帯に必要とされる非伸縮性の糸の数は、糸の大きさ、及び／又は、包帯の大きさに依存して変化し、特定の数の糸に制限されるものではない。
【００３０】
好ましくは、非伸縮性の糸は、接着部分に融合又は固着されている。しかしながら、糸が接着部分の中に織り込まれたり、又は、その他の方法で接着されたりするように本発明を制限するものではない。
【００３１】
非伸縮性の糸は、好ましくは、接着部分を阻害する必要なく創傷にアクセスすることができるように、十分に離れた間隔をあけられている。
【００３２】
好ましくは、非伸縮性の糸は、互いに離れて５ｍｍ程度の間隔をあけられている。これは張力を維持し、創傷に直接接触することができるために必要な最適な距離間隔の１つである。
【００３３】
しかしながら、これは単なる例として与えられており、間隔は１〜１０ｍｍの範囲内にあるのが好ましい。
【００３４】
間隔は、１０ｍｍより大きくすることができるが、塞がれた創傷を保持するための創傷包帯の能力は、信頼性に欠けるかもしれない。
【００３５】
「アクセス」という用語は、必要なときに創傷を調べるのに、残りの包帯を阻害することなく、創傷に治療組成物を適用する又は交換するための能力を意味する。
【００３６】
治療組成物は、軟膏、クリーム、ゲル、又は固体等の形態で技術的に知られている標準的な抗菌性の又は治癒性の組成物であり、残りの包帯を阻害する必要なく継続的に適用できる。
【００３７】
治療組成物は、残りの包帯を阻害することなく創傷に適用できるような除去可能なシステムの形態において利用できる。
【００３８】
治療組成物は、パッド又はパッド自身の中に組み込まれることによって創傷包帯を構成できる。
【００３９】
除去可能な治療組成物は、接着部分によって適当な位置に保持してもよいし、その他の手段、例えばベルクロによって取り付けられてもよい。
【００４０】
本発明の好ましい実施形態において、治療組成物は、ゲル状の蜂蜜組成物である。ゲル状の蜂蜜組成物は、治療の必要な場所に蜂蜜をとどめて維持する困難を克服した出願人（例えばＷＯ ０１／４１７７６）によって明らかにされている。これらの組成物は、本発明と関連して使用できる。
【００４１】
蜂蜜組成物は、軟膏の形態で、又は、柔軟な成形しやすい固体の形態で使用できる。
【００４２】
本発明の好ましい実施形態において、ゲル状の蜂蜜組成物は、製造中に創傷包帯の中に組み込まれている。
【００４３】
他の好ましい実施形態において、蜂蜜組成物は創傷包帯と分離でき、実質的には包帯と同時に創傷に適用できる。
【００４４】
その組成物は、ゆっくりと体液に溶解し、結果として、治療組成物が、創傷包帯を阻害することなく容易に変化することを可能とする。
【００４５】
さらに、蜂蜜組成物は、好ましくは、創傷を検査し、又は、組成物を変化させるために、水又は生理食塩水のような溶媒を使用することで、包帯から容易に溶解できる。
【００４６】
蜂蜜の抗菌及び治癒特性は公知であり、最近の国際的な医学文献で蜂蜜は創傷、火傷、及び皮膚潰瘍を治療するのに効果的であることが示されている。
【００４７】
記載された所見は、炎症、膨れ及び痛みがすぐに軽減し、壊死組織の腐肉の形成が創傷清拭の必要なく生じ、創傷を治療するための組織の成長が刺激されることを、包含している。結果として、迅速、且つ、わずかな瘢痕で治療を行うことができる。
【００４８】
さらに、創傷から感染部が清浄にされない限り、通常、治癒過程は生じないので、蜂蜜の抗菌特性は、他の抗菌剤を使用しないでこれを生じさせることができる。他の抗菌剤は、しばしばある程度の組織の炎症を引き起こし、それ故、実際は、治癒過程を遅くする。
【００４９】
蜂蜜は、好ましくは全体に使用されるが、蜂蜜の有効な成分は、蜂蜜、他の天然産物、人工的に合成した、又は別の方法で一部変更した製品から抽出でき、個々に使用してもよいし、組み合わせて使用してもよい。
【００５０】
組成物は、さらに、創傷治癒を助けるような調合薬、ビタミン、ホルモン、陽イオン及び植物エキスなどのような、他の有益な成分を具備している。創傷治癒におけるそのような成分の利点は、例えば、血液凝固を助けるのに陽イオンを使用するように、当業者によってすぐに理解される。
【００５１】
他の改良は、包帯の下の領域が、濡れてはいないが湿ったままの状態を確保するため、傷からの浸出液のような自由水分を軽減するための手段を具備している。これは、アルギン酸塩、及び／又は、水除去成分のような水吸収成分の添加を具備しており、化学反応によって水を除去する。
【００５２】
蜂蜜組成物のさらなる利点は、高温で軟化することである。多くの場合、その組成物は、体温で軟化しないことが好ましいが、ゲル状の蜂蜜ストリップの可撓性は、それらが適用される表面全体の異なる輪郭及び規則性に対応できる。
【００５３】
使用中、本発明の実施形態は、創傷包帯及び治療組成物を実質的に覆って保護するのに使用されるバッキング部を具備している。バッキング部は、好ましくは、通気性があって防水加工してあり、さらに、過剰な傷からの浸出液を適度に処理するための吸収材料である。
【００５４】
使用中、本発明の他の実施形態は、外装を具備している。外装は、実質的には、バッキング部、創傷包帯及び治療組成物を覆って保護するのに使用されている。外装は、防水加工した、及び／又は、通気性のある被覆材料にできる。例えば、外装は登録商標名「Ｇｏｒｅｔｅｘ」で販売されている材料で作ることができる。
【００５５】
治療組成物が維持されなければならない包帯領域において、治療組成物を保護するのが好ましい。
【００５６】
本発明の種々の実施形態において、バッキング部及び外装の両方を利用してもよいし、その代わりに単独で使用してもよく、包帯が原位置にある間は、創傷包帯から取り外し可能としてもよい。
【００５７】
他の実施形態において、本発明の創傷包帯は、当技術分野で周知の救急絆又は他の包帯又は外装によって単に覆ってもよい。
【００５８】
標準的な縫合技術は、縫合糸との組織反応、創傷のずれ、皮膚を束ねること等を含んだ、種々の手段を介して傷を取り去る。
【００５９】
好ましくは、本発明の創傷包帯は、傷を塞ぎ、治癒を促進するための創傷の両側上の蜂蜜組成物の物理的圧力を介して同じ平面で創傷の両側を並べることができる。
【００６０】
剛性不足のバタフライクロージャーのような包帯が、それらを適用させるのを困難とさせるのと対称的に、蜂蜜組成物が、創傷包帯にある程度の構造的剛性を与えており、容易で迅速に創傷を横切って設けることを可能とする。
【００６１】
好ましい実施形態において、ゲル状の蜂蜜組成物は層であり、その層は実質的には非伸縮性の糸に加えて接着部分の外側／非接着性側を覆う。これは、包帯の剛性及び同じ平面の創傷の両側を保持する能力をさらに増加させる。包帯が皮膚にくっつくまでは創傷の縁を保持するのが難しいが、余分な剛性は、皮膚上の配置を容易にする。
【００６２】
侵襲的な縫合を用いないで塞いだ創傷を保持する本発明の特徴は、組織反応又は皮膚を束ねることに起因する瘢痕の危険性を排除する。
【００６３】
さらに、皮膚中に糸を通すことがないため、通常、創傷を塞ぐのに用いられる糸よりも多くの糸を使用できる。これは、創傷が、少数と言うよりはむしろ多くの点で塞がれ、保持されるのを可能とし、結果的に通常の縫合方法よりも治癒が早く、瘢痕が少ない。
【００６４】
皮膚の中に異物を挿入しないため、本発明の創傷包帯は、簡単に配置でき、使用中快適であり、さらに多くの存在している縫合方法と同様の瘢痕の原因とならない。
【００６５】
さらに、与えられた縫合糸は皮膚の中に挿入されず、創傷包帯は、実質は創傷に対して平行な方向に動かすことができる。前もって、縫合の周囲の皮膚を伸ばすことは、糸を上に引っ張るという結果をもたらし、患者に不快さ及び痛みを引き起こす。
【００６６】
縫合糸は、皮膚の中に挿入されるというよりはむしろ接着性のストリップに溶解し、創傷は、局所又は全身麻酔薬を用いることなく塞ぐことができる。これは、腹部の創傷又は野外で創傷に包帯を巻くときに、特に有利である。
【００６７】
さらに、侵襲的な技術なしで適用できる本発明の特徴は、獣医学にも使用でき、人間医学、特に従順でない患者又は子供にも使用できる。
【００６８】
創傷が癒えた後、創傷は、通常は怪我の後６ヶ月を経過するまでは十分に強くないということを考慮すれば、本発明の創傷包帯は、治療組成物が必要であろうと無かろうと、そのまま置いておくことができる。
【００６９】
２週間以内に縫合を取り除く必要が無いため、瘢痕組織が強化される間、張力を適用でき、結果として瘢痕が再び開いたり、伸ばされたりする可能性を少なくする。
【００７０】
さらに、本発明の特徴は添付図面を参照して単なる例として与えられた後述する詳細から明らかになる。
【発明を実施するための最良の形態】
【００７１】
図には、創傷包帯が矢印１によって示されている。
【００７２】
創傷包帯（１）は、２つの接着部分（２）と、複数の非伸縮性の糸（３）と、を備えており、前記接着部分（２）は前記非伸縮性の糸（３）を保持している。
【００７３】
糸（３）は、好ましくは単繊維縫合糸であり、接着部分（２）に融合又は結合している。
【００７４】
糸（３）は、接着部分（２）に対して、創傷包帯（１）が皮膚に適用された時に、非伸縮性の糸（３）によって接着部分の間に張力が維持されるように設けられている。
【００７５】
接着部分（２）は、必要なときに、皮膚に接着可能、且つ、皮膚から取り外し可能である。
【００７６】
接着部分（２）は、複数のエラストマー糸（４）を具備している。エラストマー糸（４）は、非伸縮性の糸（３）によって創傷を横切って保持された張力を阻害することなく、皮膚を１方向にのみ曲げることができる。
【００７７】
非伸縮性の糸（３）は、切断しなくても接着部分（２）の間で創傷にアクセスできるように構成されている。そのように、ゲル状の蜂蜜のような治療組成物（５）は、創傷包帯を阻害することなく、創傷に適用できる。
【００７８】
図２に好ましい実施形態の第２実施例を示す。本実施形態において、蜂蜜組成物（５）は、実質的には、創傷包帯（１）の剛性を増加させるために、非伸縮性の糸（３）の間の領域に加えて接着部分（２）の外側／非接着性側を覆っている。余分な剛性は、包帯が皮膚に貼り付けられるまでは創傷の縁を保持するのが難しい場所の皮膚に簡単に配置させる。
【００７９】
蜂蜜組成物は、２つの接着性のストリップの間の接着側において、薄い層（横断する縫合糸以下で接着性のストリップと同じ厚さ）として適用され、非接着側（図１においてはストリップの間で、図２においては発明品全体）において厚い層として適用されている。製造過程において様々な組成物に圧力をかけることによってこれらの積層板を作る。
【００８０】
創傷包帯（１）は、実質は創傷包帯（１）及び治療組成物（５）を被覆して保護するために、適切なバッキング部分又は標準的な包帯（図示せず）で覆われている。
【００８１】
本発明の特徴は、単に１例として示されており、添付の請求項の要旨を逸脱しない範囲で変更及び追加することができる。
【図面の簡単な説明】
【００８２】
【図１】本発明の好ましい実施形態の第１実施例を示す図である。
【図２】本発明の好ましい実施形態の第２実施例を示す図である。
【図１】
2008500127.tif 000003
【図２】
2008500127.tif 000004
【手続補正書】
【提出日】平成17年12月21日(2005.12.21)
【手続補正１】
【補正対象書類名】特許請求の範囲
【補正対象項目名】全文
【補正方法】変更
【補正の内容】
【特許請求の範囲】
【請求項１】
皮膚に接着可能な、且つ、皮膚から取り外し可能な、少なくとも２つの接着部分と、
接着部分の間で保持される少なくとも２つの非伸縮性の糸と、
接着部分の間に少なくとも部分的に設けられている治療組成物と、を具備している予成形された創傷包帯であって、
非伸縮性の糸の間の間隔が、治療組成物によって、接着部分の間の創傷又は皮膚への直接アクセスを可能としていることを特徴とする創傷包帯。
【請求項２】
包帯が皮膚に適用されたときに、糸によって接着部分の間に張力を維持できるように、非伸縮性の糸が、接着部分に対して、配置されている、請求項１記載の創傷包帯。
【請求項３】
接着部分が、伸縮性であり、創傷の方向に対して実質的に平行な方向に伸ばすことができる、請求項１又は２記載の創傷包帯。
【請求項４】
非伸縮性の糸の間隔が１〜１０ｍｍの範囲内である、請求項１〜３のいずれか１つに記載の創傷包帯。
【請求項５】
非伸縮性の糸が、互いに５ｍｍ程度の間隔で離れている、請求項４記載の創傷包帯。
【請求項６】
治療組成物が、軟膏、クリーム、ゲル、又は固体等の形態の、従来から知られている、標準的な抗菌性の又は治癒性の組成物である、請求項１〜５のいずれか１つに記載の創傷包帯。
【請求項７】
治療組成物が、製造中にパッド内に組み込まれることによって創傷包帯用に構成されており、又は、パッド自身に適用されている、請求項６記載の創傷包帯。
【請求項８】
創傷包帯と共に構成された治療組成物が、除去可能である、請求項６記載の創傷包帯。
【請求項９】
治療組成物が蜂蜜組成物である、請求項６〜８のいずれか１つに記載の創傷包帯。
【請求項１０】
治療組成物が溶解可能である、請求項６〜９のいずれか１つに記載の創傷包帯。
【請求項１１】
創傷包帯及び治療組成物を覆って保護するために実質的に全体を包む、バッキング部分を、具備している、請求項１〜１０のいずれか１つに記載の創傷包帯。
【請求項１２】
バッキング部分、創傷包帯、及び、治療組成物を実質的に覆って保護するための、外装を、具備している、請求項１〜１１のいずれか１つに記載の創傷包帯。
【請求項１３】
請求項１〜１２のいずれか１つに記載の創傷包帯において治療組成物を交換可能に構成された、創傷包帯。
【請求項１４】
実質的には、添付図面を参照して述べられ且つ添付図面によって図示された、創傷包帯。
【手続補正２】
【補正対象書類名】明細書
【補正対象項目名】００１７
【補正方法】変更
【補正の内容】
【００１７】
本発明の一態様は、次のような予成形された創傷包帯を提供している。それは、
皮膚に接着可能な、且つ、皮膚から取り外し可能な、少なくとも２つの接着部分と、
接着部分の間で保持される少なくとも２つの非伸縮性の糸と、
接着部分の間に少なくとも部分的に設けられている治療組成物と、を具備しており、
非伸縮性の糸の間の間隔が、治療組成物によって、接着部分の間の創傷又は皮膚への直接アクセスを可能とするのに十分であることを特徴としている。
【手続補正３】
【補正対象書類名】明細書
【補正対象項目名】００１８
【補正方法】削除
【補正の内容】
【国際調査報告】
2008500127.tif 000005
2008500127.tif 000006
2008500127.tif 000007
2008500127.tif 000008